【事件の表示】
　商願２０１４−６１０２３拒絶査定不服審判事件について，次のとおり審決する。
【結　論】
　本件審判の請求は，成り立たない。
【理　由】
１　本願商標
　本願商標は，「ＴＯＫＩＯ」の文字を標準文字で表してなり，第１４類に属する願書記載のとおりの商品を指定商品として，平成２６年７月２２日に登録出願され，その後，指定商品については，原審における同２７年３月４日受付の手続補正書により補正された結果，第１４類「時計」となったものである。
２　原査定の拒絶の理由の要点
　原査定は，「本願商標は，１９９０年代にデビューし現在も活動中である，城島茂氏，山口達也氏，国分太一氏，松岡昌宏氏及び長瀬智也氏よりなる音楽グループ名として知られる『ＴＯＫＩＯ』の文字よりなるものであり，かつ，その者の承諾を得ているものとは認められない。したがって，本願商標は，商標法第４条第１項第８号に該当する。」旨認定，判断し，本願を拒絶したものである。
３　当審の判断
（１）商標法第４条第１項第８号について
　ア　本願商標は，「ＴＯＫＩＯ」の文字を標準文字で表してなるものである。
　イ　そして，「ＴＯＫＩＯ」の文字については，拒絶査定において示した証拠及び当審における職権調査（補強証拠）によれば，以下の事実が認められる。
＜原査定で引用した新聞記事情報＞
（ア）２０１４年１１月３日付け 日刊スポーツにおいて，「２０周年ＴＯＫＩＯに祝福の嵐」の見出しのもと，「ＴＯＫＩＯが２日，東京・日本武道館で『ＣＤデビュー』２０周年ライブツアーの最終公演を行った。２日間で２万６０００人を動員した。・・・この日で，同所での公演は５７回目。」との記載がある。
（イ）２０１４年７月２２日付け 日刊スポーツにおいて，「２０周年アルバム即オリコン首位」の見出しのもと，「ＴＯＫＩＯのデビュー２０周年記念アルバム『ＨＥＡＲＴ』が発売初週で４・１万枚を売り上げ，２８日付オリコン週間ランキングで初登場首位を獲得することが２１日，分かった。アルバム首位は９年１０カ月ぶり，通算２作目。」との記載がある。
（ウ）２０１５年１月１日付け 日刊スポーツにおいて，「ＴＯＫＩＯお願い／紅白」の見出しのもと，「白　２０周年のＴＯＫＩＯは出場２１回目の余裕を見せつけた。デビュー曲『ＬＯＶＥ　ＹＯＵ　ＯＮＬＹ』の歌唱前，長瀬智也（３６）は『２０年に１度のお願いです。お立ち願いたい』と審査員や観客を全員総立ちにさせ，応援コメントを送った後輩らにも『関ジャニも嵐もＶ６も，ユーたち来ちゃいなよ。みんな一緒に歌おう！』とステージに招き入れた，後輩３グループがバックで踊った。長瀬は終了後『最高でした』と興奮気味に振り返った。」との記載がある。
（エ）２０１５年１月１５日付け　スポーツ報知（１４頁）において，「ＴＯＫＩＯの松岡昌宏が出演する『サッポロ　クラシック』が新ＣＭ　＝北海道」の見出しのもと，「人気グループ・ＴＯＫＩＯのメンバーで，札幌出身・松岡昌宏（３８）が出演する道内限定生ビール『サッポロ　クラシック』の新ＣＭが２３日から放送される。」との記載がある。
＜以下は，当審で補強する証拠＞
（オ）２０１５年１月１日付け 朝日新聞（朝刊 １頁）「輝く個性，進化は続く　２１年目，新たな一歩　ＴＯＫＩＯ　新年特集第３部・エンタメ」の見出しのもと，「今，ＴＯＫＩＯが熱い。昨年２０周年を迎えて出した記念アルバム『ＨＥＡＲＴ』はオリコン初登場１位。夏フェスにも初出演し，テレビのレギュラー番組も高視聴率をキープした。そして１日も『ウルトラマンＤＡＳＨ』（日テレ系，午後６時）に出演するなど大忙し。」との記載がある。
（カ）２０１５年１月１０日付け 毎日新聞（朝刊 ２０頁）において，「テレビ裏語録：ＴＯＫＩＯの安定感＝樋口卓治」の見出しのもと，「去年，最も視聴率を取った番組といえば日テレの『ザ！鉄腕！ＤＡＳＨ！！』だ。暮れに当番組の放送作家・田中直人氏に好調の理由を聞いたところ冒頭の言葉が返ってきた。ＴＯＫＩＯとスタッフの信頼関係が番組を面白くしているという。ＡＤの頃からやってきたスタッフがディレクターをやっている。なので気心も知れていてカメラを意識せず伸び伸びとロケができるのだという。」との記載がある。
（キ）２０１５年９月２７日　スポーツ報知（２６頁）において，「ＴＯＫＩＯがヤマト運輸の新ＣＭで“ミニＴＯＫＩＯ”に」の見出しのもと，「人気グループ・ＴＯＫＩＯがスマホよりも小さな“ミニＴＯＫＩＯ”になって，４月から開始されたヤマト運輸の新サービス『宅急便コンパクト』を紹介する新ＣＭ『こんなんもあんなんも』篇が，２８日よりオンエアされる。」との記載がある。
（ク）２０１５年１１月５日付け 日経産業新聞（１５頁）において，「スズキ，小型車『ソリオ』――家族で使いやすい広さ（ｃｈｅｃｋＵＰ出足快調）」の見出しのもと，「テレビＣＭには５人組としての印象が根付いた人気グループ『ＴＯＫＩＯ』を起用。大人５人でも無理なく乗れるという広さを消費者にアピールした。購入者は狙い通り，３０〜４０代の子育てファミリー層が多いという。」との記載がある。
（ケ）「Ｊｏｈｎｎｙ’ｓ　ｎｅｔ」のウェブサイトにおいて，「ＴＯＫＩＯ」の項，「Ｐｒｏｆｉｌｅ」の見出しのもと，「城島茂」，「山口達也」，「国分太一」，「松岡昌宏」，「長瀬智也」の記載がある。また，同項「Ｄｉｓｃｏｇｒａｐｈｙ」の見出しのもと，該グループが現在までに１８枚のアルバムＣＤをリリースしている旨の記載がある。さらに，同項「Ｍｅｄｉａ」の見出しのもと，該グループまたはグループのメンバーが，「ザ！鉄腕！ＤＡＳＨ！！」をはじめとする多数のテレビ番組やラジオ番組，ＣＭ，雑誌等に出演している旨の記載がある。
（http://www.johnnys-net.jp/page?id=profileartist=7）
（http://www.johnnys-net.jp/page?id=discoartist=7category=2page=1）
（http://www.johnnys-net.jp/page?id=mediaartist=7）
（コ）「ＴＶｆａｎＷｅｂ」のウェブサイトにおいて，「ＴＯＫＩＯ，Ｖ６井ノ原の司会を祝福　松岡昌宏『俺たちのイノッチが…』」（２０１５年１２月２９日付け）の見出しのもと，「『第６６回ＮＨＫ紅白歌合戦』のリハーサルが２９日，東京都内で行われ，ＴＯＫＩＯが出席した。ＴＯＫＩＯは，今回で２２回連続出場。」との記載がある。
（http://tvfan.kyodo.co.jp/news/topics/1030477）
（サ）「ｇｏｏ　いまトピ」のウェブサイトにおいて，「ＴＯＫＩＯデビュー２０周年！不遇な時代を乗り越えて勝ち取ったものとは」（２０１４年７月１６日付け）の見出しのもと，「デビュー２０周年を迎えたＴＯＫＩＯ。若かりし時代とはまた違った魅力にあふれ，ＴＯＫＩＯ人気が止まらない。日曜夜に放送中の『ＴＨＥ鉄腕ＤＡＳＨ』（日本テレビ系）では，ＴＯＫＩＯが言葉を発する前に『０円食堂？』と聞かれるほど，気がつけば知名度抜群のグループに成長していた。バンドに農業，建築，漁と，ジャニーズの数あるグループの中でも珍しいスタイルを貫く彼らだが，しっかりと足場を固めて幅広い層から人気を集めている。」との記載がある。
（http://ima.goo.ne.jp/column/article/1212.html）
（シ）「Ｂｅｔａマガジンサミット」のウェブサイトにおいて，「アイドル？バンド？農家？ぶっちぎりの視聴率を誇るＴＯＫＩＯの方向性」の見出しのもと，「最近，『農業』と『タレントや俳優』を兼業している有名人が増えてきていると思いませんか。・・・そんななか，ぶっちぎりの知名度を誇るのがＴＯＫＩＯ。２０１５年，平均視聴率１８．８％。ジャニーズの冠番組のなかで，もっとも平均視聴率が高い番組『ザ！鉄腕ＤＡＳＨ！』（１９９８年４月〜。ＮＴＶ）でのＴＯＫＩＯの農業タレントぶりが話題です。」との記載がある。
（http://magazinesummit.jp/sport_entertainment/1315058160105）
　ウ　前記イ認定の事実によれば，「ＴＯＫＩＯ」について，次のとおり認めることができる。
　「ＴＯＫＩＯ」は，城島茂氏，山口達也氏，国分太一氏，松岡昌宏氏及び長瀬智也氏をメンバーとする日本のアイドルグループの名称である。該グループは，２０１４年にデビュー２０周年を迎え，同年１１月に日本武道館で行われた２０周年コンサートでは観客２万６０００人を動員し，同館における公演は５７回にのぼった。そして，該グループは現在までに１８枚のアルバムＣＤをリリースしており，２０１４年７月に発売された２０周年記念アルバムＣＤは，発売初週の売上が４万枚を超え，週間ランキングで初登場で首位となったほか，該グループのアルバムで首位となったのは２作目となった。また，ＮＨＫ「紅白歌合戦」には，２０１５年まで２２回連続で出場しているほか，１９９８年４月から始まった日本テレビ系列の長寿・人気テレビ番組「ザ！鉄腕！ＤＡＳＨ！！」は，ＴＯＫＩＯが出演するレギュラー番組であり，複数の企業のＣＭにも出演するなど，幅広く活躍するグループであることがうかがえる。
　以上によれば，「ＴＯＫＩＯ」の文字は，上記構成メンバーからなる日本の国民的アイドルグループ名（芸名）として，本願商標の登録出願時はもとより，現在においても我が国において著名なものとなっているというのが相当である。
　エ　そうすると，本願商標は，他人の著名な芸名（グループ名）を含む商標であるといえるところ，請求人は，「ＴＯＫＩＯ」，すなわち，その構成メンバーである城島茂氏，山口達也氏，国分太一氏，松岡昌宏氏及び長瀬智也氏から本願商標の登録の承諾を得ていないものであることが明らかであるから，本願商標は，他人の著名な芸名を含む商標として，商標法第４条第１項第８号により商標登録を受けることができないものであるといわざるを得ない。
（２）請求人の主張について
　ア　請求人は，「ＴＯＫＩＯ」の文字は，（ア）ドイツ語，スペイン語等で「東京」の表記音訳，（イ）日本人の男性の名のローマ字表記，（ウ）歌手「沢田研二」氏によるヒット曲の曲名等，多義的でさまざまに観念される語であって，音楽グループ名の「ＴＯＫＩＯ」のみを観念するものではないから，本願商標は商標法第４条第１項第８号に該当しない旨主張する。
　しかしながら，前記（１）のとおり，「ＴＯＫＩＯ」の文字は，上述の構成メンバーからなる日本の国民的アイドルグループ名（芸名）として，本願商標の登録出願時はもとより，現在においても我が国において著名なものとなっているというのが相当であるから，「ＴＯＫＩＯ」の文字に接する一般世人は，上記（ア）ないし（ウ）の意味合いを理解，把握するというよりは，むしろ，該グループ名を認識する場合が多いものといえる。
　したがって，請求人の上記主張は採用できない。
　イ　請求人は，「商標法第４条第１項第８号は，自然人の氏名や会社の商標等の法人名称の保護を目的としているところ，音楽グループ『ＴＯＫＩＯ』は，構成員がグループ活動する時に使う『ユニット名』であって，自然人でも法人でもなく，よしんば権利能力なき社団と考えるにしても，該グループは，定款や住所地，代表者等を定めて第三者に対する責任を果たせるような団体でもないから，同号が保護する『人』とは言えない」旨主張する。
　しかしながら，アイドルグループが権利能力なき社団であるか否かはおくとしても，「ＴＯＫＩＯ」は，前記（１）のとおり，城島茂氏，山口達也氏，国分太一氏，松岡昌宏氏及び長瀬智也氏を構成メンバーとする日本の国民的アイドルグループであって，社会的，経済的に実体を有しており，そのグループ名は上記個々のメンバーに共有帰属するものと考えるのが妥当であるから，当該グループ名（芸名）が著名である限り，人格的利益を保護されるべきである。
　したがって，請求人の上記主張は採用できない。
　ウ　請求人は，第９類，第１８類，第２５類等の商品を指定商品とする過去の登録例を挙げ，本願の指定商品は，これらの登録例の指定商品と比較して全く無関係といえるほど，芸能活動と離れた存在といえるから，本願商標も登録されるべき旨主張する。
　しかしながら，商標法第４条第１項第８号にいう「著名な略称」に該当するか否かを判断するについて，常に，問題とされた商標の指定商品又は指定役務の需要者のみを基準とすることは相当でなく，その略称が本人を指し示すものとして一般に受け入れられているか否かを基準として判断されるべき（最高裁平成１６年（行ヒ）第３４３号判決）ものであるところ，「ＴＯＫＩＯ」が日本の国民的アイドルグループ名（芸名）として広く一般に受け入れられていることは，前記（１）のとおりである。
　したがって，請求人の上記主張は採用できない。
（３）むすび
　以上のとおり，本願商標は，商標法第４条第１項第８号に該当するから，登録することができない。
　よって，結論のとおり審決する。